(57)【要約】【課題】必要な液晶表示をバーコードリーダの技術を用いて正確に読み取つてデータの収集と処理をすることができる表示映像の表示制御方法および装置並びに表示映像からの光出力読み取り表示制御方法および装置を提供する。【解決手段】表示面上に表示される可能性がある文字記号等の複数の表示対象要素に対して、予め定めた複数のビット数により各々が構成される複数のバイナリ多単位コード”１１０００００１”などがそれぞれ対応するように定められ、複数の表示対象要素にそれぞれ対応する前記複数のバイナリ多単位コードに従って、前記表示面上に表示された表示映像を表示面上で点滅制御して得られるバイナリシリアル光出力信号を送出する。このバイナリシリアル光出力信号は、バーコードリーダにより読み取った２値ディジタル受光出力を符号変換用コードテーブルを参照して復号し表示することができる。【選択図】      図５
2005018196.tif 000002
【特許請求の範囲】
【請求項１】
表示面上に表示される可能性がある文字，記号等の複数の表示対象要素に対して、予め定めた複数のビット数により各々が構成される複数のバイナリ多単位コードがそれぞれ対応するように定められ、
前記複数の表示対象要素にそれぞれ対応する前記複数のバイナリ多単位コードに従って、前記表示面上に表示された表示映像を表示面上で点滅制御して得られるバイナリシリアル光出力信号を送出する
ことを特徴とする表示映像の表示制御方法。
【請求項２】
対象物の変化する状態を表す状態表示データを該対象物から検知信号として検知するセンサと、
該検知信号を所望の時点で対応する必要なデータに変換するデータ変換手段と、
該データに対応する数値を表示面上に表示映像として表示する表示手段と、
予め定めた複数のビット数により各々が構成され、かつ、前記表示面上に表示映像として表示される可能性がある文字，記号等の複数の表示対象要素にそれぞれ対応するように定められた複数のバイナリ多単位コードを保持するコードテーブルと、
該コードテーブルに保持された前記複数のバイナリ多単位コードから、前記表示映像を構成している前記複数の表示対象要素にそれぞれ対応する複数のバイナリ多単位コードを順次選択して、前記データに対応する制御データ信号として出力するデータ選択手段と、
該制御データ信号に従って前記表示映像を前記表示面上で点滅制御して該表示面から前記データに対応するバイナリシリアル光出力信号を出力する出力制御手段と
を備えた表示映像の表示制御装置。
【請求項３】
表示面上に表示される可能性がある文字，記号等の複数の表示対象要素にそれぞれ対応するように定められた複数のバイナリ多単位コードに従って、前記表示面上に表示された表示映像が点滅制御されて得られるバイナリシリアル光出力信号を受信するために、
光源からの出力光を前記表示上の表示映像に照射したときの該出力光の反射光を受光して得られるアナログ受光出力から、該アナログ受光出力のゼロクロスタイミングを２値状態の一方から他方への変化タイミングとする２値デジタル受光出力に変換する第１のステップと、
前記２値デジタル受光出力を所定の周期で走査した走査出力を取り出す第２のステップと、
該走査出力を所定の多単位符号とみなして復号した復号出力を取り出す第３のステップと、
前記復号出力を前記所定の多単位符号とみなして読み取り、その所定の多単位符号に対応する表示対象要素のパターンを表示する第４のステップと、
を備えた、
表示映像からの光出力読み取り表示制御方法。
【請求項４】
表示面上に表示される可能性がある文字，記号等の複数の表示対象要素にそれぞれ対応するように定められた複数のバイナリ多単位コードに従って、前記表示面上の表示映像が点滅制御されて得られるバイナリシリアル光出力信号を受信するために、
光源からの出力光を前記表示面上の表示映像に照射して走査する走査手段と、
該出力光の反射光を受光してアナログ受光出力を取り出す受光手段と、
該アナログ受光出力のゼロクロスタイミングを２値状態の一方から他方への変化タイミングとする２値デジタル受光出力に変換するＡ／Ｄ変換器と、
予め定めた複数のビット数により各々が構成され、かつ、前記表示面上に表示される可能性がある文字，記号等の複数の表示対象要素にそれぞれ対応するように定められた複数のバイナリ多単位コードを保持するコードテーブルと、
前記２値デジタル受光出力を前記バイナリ多単位コードであるとみなしてコード化したコード化出力に変換するデータ変換器と、
該記コード化出力を該コードテーブルを参照して復号した復号化出力を取り出す復号手段と、
該復号手段からの復号出力を表示する表示器と、
を備えた、
表示映像からの光出力読み取り表示制御装置。
【請求項５】
表示面上に表示される可能性がある文字，記号等の複数の表示対象要素にそれぞれ対応するように定められた複数のバイナリ多単位コードに従って、前記表示面上の表示映像が点滅制御されて得られるバイナリシリアル光出力信号を受信するために、
光源からの出力光を前記表示映像に照射したときの該出力光の反射光を受光して得られるアナログ受光出力から、該アナログ受光出力のゼロクロスタイミングを２値状態の一方から他方への変化タイミングとする２値デジタル受光出力に変換する第１のステップと、
該デジタル受光出力を所定の走査周期で走査読み取りしてコード化したコード化出力を取り出す第２のステップと、
前記コード化出力を所定の多単位符号とみなして復号したデコード化したデコード化出力を取り出す第３のステップと、
該デコード化出力は前記所定の多単位符号であるか否かをテストをし、該所定の多単位符号ではないとのテスト結果が得られたときには、前記第１のステップに復帰する第４のステップと、
該第４のステップにおけるテストがＹＥＳであったときには、前記デコード化出力をバーコードに変換する第５のステップと、
該バーコードをプリントアウトする第６のステップと、
を備えた、
表示映像からの光出力読み取り表示制御方法。
【請求項６】
表示面上に表示される可能性がある文字，記号等の複数の表示対象要素にそれぞれ対応するように定められた複数のバイナリ多単位コードに従って、前記表示面上の表示映像が点滅制御されて得られるバイナリシリアル光出力信号を受信するために、
光源からの出力光を前記表示映像に照射して走査する走査手段と、
該出力光の反射光を受光してアナログ受光出力を取り出す受光手段と、
該アナログ受光出力のゼロクロスタイミングを２値状態の一方から他方への変化タイミングとする２値デジタル受光出力に変換するＡ／Ｄ変換器と、
予め定めた複数のビット数により各々が構成され、かつ、前記表示面上に表示される可能性がある文字，記号等の複数の表示対象要素にそれぞれ対応するように定められた複数のバイナリ多単位コードを保持するコードテーブルと、
前記２値デジタル受光出力を前記バイナリ多単位コードであるとみなしてコード化したコード化出力に変換するデータ変換器と、
該記コード化出力を該コードテーブルを参照して復号した復号化出力を取り出す復号手段と、
該復号手段からの復号出力に対応するバーコードに変換するバーコード変換器と、
該変換されたバーコードをプリントアウトする印刷手段と、
を備えた、
表示映像からの光出力読み取り表示制御装置。
【発明の詳細な説明】
【０００１】
【発明の属する技術分野】
本発明は、表示映像の表示制御方法および装置並びに表示映像からの光出力読み取り表示制御方法および装置に関するものであり、特に、医療データ等のデータ収集に適した表示映像の表示制御方法および装置並びに表示映像からの光出力読み取り表示制御方法および装置に関するものである。
【０００２】
【従来の技術】
従来、病院では、看護士の主な業務は、患者の血糖値，体温，脈拍，血圧等を測定し、そのデータの集計，整理を行うことである。その為に、血糖値，体温，脈拍，血圧を測定するための測定器を常に携帯している。更に、緊急を要する時に音声による指示を受けるための手段として無線機を携帯している。この場合の通信手段は、病院という場所であるためＰＨＳを用いることが通常である。この様に看護士は、多くの機器を携帯している。これらの機器で測定したデータは、手書きにより患者のＩＤと共にデータシートに記入し、後で過去のデータと比較する等のデータ集計，整理をコンピュータ等の電子機器で行っているが、手書き入力であるため、看護士は労力を要し、誤記入の危険性もあった。
【０００３】
改善されている例では、手書きの部分が電子化されており、キー入力により、Ｐｅｒｓｏｎａｌ  Ｄｉｇｉｔａｌ（Ｄａｔａ）  Ａｓｓｉｓｔａｎｔｓ  （ＰＤＡ）と呼ばれている電子機器へ収集され、その後メインのコンピュータへデータを送りデータの集計，処理を行っている例がある。この場合には、キー入力操作であるために手書き入力に比べて作業は軽減されるが、誤入力という危険性は、依然残っている。
【０００４】
以上のように、従来例では、手書きで各々の医療計測器のデータを収集するため、非常に時間を要し、また、誤記入の可能性があった。
ＰＤＡを使用する場合には、手書き入力より業務は軽減されるが、数値を打ち込む作業はなくならず、手間がかかった。この方法でもまた誤入力という問題点がある。
医療機器全てに通信装置を取付け、各医療機器のデータを患者のＩＤと共に送信することができれば、手間もかからず、誤入力という問題点も無くなる。しかしながら、低価格の医療測定器を含む全ての機器に通信装置を取付けることは、商品化の面から考えれば、極めて不利な条件である。
この様に、従来の技術には、患者のデータを収集，処理するのは非常に時間を要し、誤入力という危険性もあった。また、看護士は、音声で指示を受けるための無線機（ＰＨＳ）、医療品の確認を行うためバーコードリーダ、データ収集の為のＰＤＡ、及び各種の医療機器端末を携帯しており看護士の携帯品が多く煩雑であった。
【０００５】
このような医療データの収集のための従来技術の欠点を解消するために、医療機器へのデータをバーコードにより表示することが提案されている（特許文献１参照）。
【０００６】
【特許文献１】
特開２００２−２８２２１７号公報
【０００７】
【発明が解決しようとする課題】
しかし、バーコードを液晶表示により表示しようとする場合には、ドット間隔が約５０μｍであるドットマトリックス（グラフィック表示）方式が用いられているが、このドットマトリックス方式によるバーコード表示は高価となり、広く用いられている体温計等に用いるには不向きである。また、液晶で表示されたバーコードは、バーコードリーダによっては、太バー，細バー，太スペース，細スペースを区別して正確に読み取ることができない場合がある。
【０００８】
本発明の目的は、このような従来技術の欠点を解消して、簡単な操作で必要な液晶表示をバーコードリーダの技術を用いて正確に読み取つてデータの収集と処理をすることができる表示映像の表示制御方法および装置並びに表示映像からの光出力読み取り表示制御方法および装置を提供することである。
【０００９】
【課題を解決するための手段】
この目的を達成するために、本発明による表示映像の表示制御方法は、
表示面上に表示される可能性がある文字（「Ａ」，「Ｂ」，「１」，「２」，など），記号（「、」，「。」，など）等の複数の表示対象要素に対して、予め定めた複数のビット数により各々が構成される複数のバイナリ多単位コード”１１０００００１”，”０１０００１００”などがそれぞれ対応するように定められ、
前記複数の表示対象要素にそれぞれ対応する前記複数のバイナリ多単位コードに従って、前記表示面上に表示された表示映像を表示面上で点滅制御して得られるバイナリシリアル光出力信号を送出するように構成されている。
【００１０】
本発明による表示映像の表示制御装置は、
対象物の変化する状態を表す状態表示データを該対象物から検知信号として検知するセンサと、
該検知信号を所望の時点で対応する必要なデータに変換するデータ変換手段と、
該データに対応する数値を表示面上に表示映像として表示する表示手段と、
予め定めた複数のビット数により各々が構成され、かつ、前記表示面上に表示映像として表示される可能性がある文字，記号等の複数の表示対象要素にそれぞれ対応するように定められた複数のバイナリ多単位コードを保持するコードテーブルと、
該コードテーブルに保持された前記複数のバイナリ多単位コードから、前記表示映像を構成している前記複数の表示対象要素にそれぞれ対応する複数のバイナリ多単位コードを順次選択して、前記データに対応する制御データ信号として出力するデータ選択手段と、
該制御データ信号に従って前記表示映像を前記表示面上で点滅制御して該表示面から前記データに対応するバイナリシリアル光出力信号を出力する出力制御手段と
を備えた構成を有している。
【００１１】
また、本発明による表示映像からの光出力読み取り表示制御方法は、表示面上に表示される可能性がある文字，記号等の複数の表示対象要素にそれぞれ対応するように定められた複数のバイナリ多単位コードに従って、前記表示面上に表示された表示映像が点滅制御されて得られるバイナリシリアル光出力信号を受信するために、
光源からの出力光を前記表示面上の表示映像に照射したときの該出力光の反射光を受光して得られるアナログ受光出力から、該アナログ受光出力のゼロクロスタイミングを２値状態の一方から他方への変化タイミングとする２値デジタル受光出力に変換する第１のステップと、
前記２値デジタル受光出力を所定の周期で走査した走査出力を取り出す第２のステップと、
該走査出力を所定の多単位符号とみなして復号した復号出力を取り出す第３のステップと、
前記復号出力を前記所定の多単位符号とみなして読み取り、その所定の多単位符号に対応する表示対象要素のパターンを表示する第４のステップと、
を備えた構成を有している。
【００１２】
さらに、本発明による表示映像からの光出力読み取り表示制御装置は、表示面上に表示される可能性がある文字，記号等の複数の表示対象要素にそれぞれ対応するように定められた複数のバイナリ多単位コードに従って、前記表示面上の表示映像が点滅制御されて得られるバイナリシリアル光出力信号を受信するために、
光源からの出力光を前記表示面上の表示映像に照射して走査する走査手段と、
該出力光の反射光を受光してアナログ受光出力を取り出す受光手段と、
該アナログ受光出力のゼロクロスタイミングを２値状態の一方から他方への変化タイミングとする２値デジタル受光出力に変換するＡ／Ｄ変換器と、
予め定めた複数のビット数により各々が構成され、かつ、前記表示面上に表示される可能性がある文字，記号等の複数の表示対象要素にそれぞれ対応するように定められた複数のバイナリ多単位コードを保持するコードテーブルと、
前記２値デジタル受光出力を前記バイナリ多単位コードであるとみなしてコード化したコード化出力に変換するデータ変換器と、
該記コード化出力を該コードテーブルを参照して復号した復号化出力を取り出す復号手段と、
該復号手段からの復号出力を表示する表示器と、
を備えた構成を有している。
【００１３】
また、本発明による表示映像からの光出力読み取り表示制御方法は、表示面上に表示される可能性がある文字，記号等の複数の表示対象要素にそれぞれ対応するように定められた複数のバイナリ多単位コードに従って、前記表示面上の表示映像が点滅制御されて得られるバイナリシリアル光出力信号を受信するために、
光源からの出力光を前記液晶表示に照射したときの該出力光の反射光を受光して得られるアナログ受光出力から、該アナログ受光出力のゼロクロスタイミングを２値状態の一方から他方への変化タイミングとする２値デジタル受光出力に変換する第１のステップと、
該デジタル受光出力を所定の走査周期で走査読み取りしてコード化したコード化出力を取り出す第２のステップと、
前記コード化出力を所定の多単位符号とみなして復号したデコード化したデコード化出力を取り出す第３のステップと、
該デコード化出力は前記所定の多単位符号であるか否かをテストをし、該所定の多単位符号ではないとのテスト結果が得られたときには、前記第１のステップに復帰する第４のステップと、
該第４のステップにおけるテストがＹＥＳであったときには、前記デコード化出力をバーコードに変換する第５のステップと、
該バーコードをプリントアウトする第６のステップと、
を備えた構成を有している。
【００１４】
さらに、本発明による表示映像からの光出力読み取り表示制御装置は、表示面上に表示される可能性がある文字，記号等の複数の表示対象要素にそれぞれ対応するように定められた複数のバイナリ多単位コードに従って、前記表示面上の表示映像が点滅制御されて得られるバイナリシリアル光出力信号を受信するために、
光源からの出力光を前記液晶表示に照射して走査する走査手段と、
該出力光の反射光を受光してアナログ受光出力を取り出す受光手段と、
該アナログ受光出力のゼロクロスタイミングを２値状態の一方から他方への変化タイミングとする２値デジタル受光出力に変換するＡ／Ｄ変換器と、
予め定めた複数のビット数により各々が構成され、かつ、前記出力面上に表示される可能性がある文字，記号等の複数の表示対象要素にそれぞれ対応するように定められた複数のバイナリ多単位コードを保持するコードテーブルと、
前記２値デジタル受光出力を前記バイナリ多単位コードであるとみなしてコード化したコード化出力に変換するデータ変換器と、
該記コード化出力を該コードテーブルを参照して復号した復号化出力を取り出す復号手段と、
該復号手段からの復号出力に対応するバーコードに変換するバーコード変換器と、
該変換されたバーコードをプリントアウトする印刷手段と、
を備えた構成を有している。
【００１５】
【発明の実施の形態】
まず、本発明の実施に用いられるバーコードリーダの原理を説明する。読み取り方法は、大きく分けてレーザ方式とＣＣＤ方式の２種類がある。
【００１６】
（レーザ方式の場合）
図１（ａ）に示すように、レーザダイオード１より発光したレーザ光を回転しているボリゴンミラー２に照射（据え置き型）するか、または、左右運動しているガルバ／ミラーに照射（ハンディタイプ）する。次に、それらのスキャン光３をバーコード４に当て、その乱反射光を受光素子（フォトダイオード）５で受光する。
受光した乱反射光は、図１（ｂ）の様なアナログ波形になっており、このアナログ波形を図１（ｃ）のようなディジタル信号波形に変換する。この場合の図１（ｃ）に示すディジタル信号波形は、図１（ｂ）に示すアナログ波形のゼロクロスタイミングを２値状態の一方から他方への変化タイミングとする２値信号波形である。
このディジタル信号波形から細・太バー，細・太スペースを判別する。次に、このバー，スペースの組合せから、バーコードの規則に従いコード化する。１回の走査時間は、約１ｍｓ〜３０ｍｓである。読み取る時の分解能は、読み取り深度にもよるが、約０．１２３〜１ｍｍである。
【００１７】
（ＣＣＤ方式の場合）
図２（ａ）に示すように、光源用ＬＥＤ１１よりバーコード１２上に光を照射する。その乱反射光をＣＣＤイメージセンサ１３で画像として受光する。ＣＣＤイメージセンサ１３上のバーコードの画像データを端から端にスキャンしたアナログ波形（図２（ｂ））を取得する。ここからはレーザ方式と同じ手順でアナログ波形２（ｃ）のようなディジタル信号波形に変換する。
このディジタル信号波形から細・太バー，細・太スペースを判別する。次に、このバー，スペースの組み合わせから、バーコードの規則に従いコード化する。ＣＣＤ方式の場合、スキャン数がレーザ方式のスキャン光のスピードに相当する。一般に一回の走査時間は、約３０ｍｓ〜３００ｍｓである。
最小読み取り幅は、レーザ方式に比べて劣るが、約０．５ｍｍ程度の分解能はある。
【００１８】
次に、本発明の取扱い対象である表示映像の一つである液晶表示の種類について言及する。
表示方式は、セグメント方式，ドットマトリックス／キャラクター方式（文字表示），ドットマトリクス（グラフィック表示）がある。各々の概要を図３（ａ），（ｂ），（ｃ）に示す。
【００１９】
一方、液晶表示板の各表示エレメントが選択信号と非選択信号に反応する時間は、合計で数十ｍｓ〜約２００ｍｓである。
液晶表示でバーコードの表示を考えると、反応特性は次の通りである。
（１）セグメント方式の場合
ｓの字の形になっており、細・太バー，細・太スペースの表示することは、不可能である。
（２）ドットマトリクス／キャラクター方式（文字表示）の場合
表示は可能であるが、キャラクター間、即ち隣接する表示単位相互間の距離（間隙）が、６６０μｍある。（図３（ｂ）参照）
この間隙をレーザ方式，ＣＣＤ方式と共に殆どのバーコードリーダーは、感知する。
（３）ドットマトリックス（グラフィック表示）の場合
ドットであるので任意のバーコード表示が可能である。
また、個々のドットの間隙は、約５０μｍなのでほとんどのバーコードリーダーで間隙を感知せずに読むことができる。性能の良いバーコードリーダーでは、読めない場合もある。
【００２０】
また、バーコードリーダーは、２回或いは３回の走査を行い同じであれば、その値を真の値として取り入れる。
バーコードリーダーの走査速度は、レーザタイプは約１〜３０ｍｓ、ＣＣＤタイプは約３０ｍｓ〜３００ｍｓである。
一方、液晶表示のフレームに要する時間は１２．８ｍｓである。ＬＣＤドライバーのクロックを４μｓとする。液晶の反応速度が早く、レーザの走査時間が速い場合、人間の目には、残像現象があり黒く見えている場合でも、バーコードリーダーで読む時、読めない場合がある。液晶の反応速度は、一般に十数ｍｓ〜２００ｍｓ。
【００２１】
本発明による表示映像の表示制御方法は、例えば体温計などの適宜の測定器上に、以上説明されたように表示されている液晶等の表示映像をそのまま利用して、その液晶表示映像を表示面上に表示している「点灯状態」と表示しない「消灯状態」との組合せにより得られるバイナリシリアル光出力を、その表示映像からの光出力とすることを要旨としている。
すなわち、表示面上に表示される可能性がある「Ａ」，「Ｂ」，「１」，「２」などの文字，「、」，「。」などの記号等の複数の表示対象要素に対して、予め定めた５，６，８などの複数のビット数により各々が構成される複数の”１１０００００１”，”０１０００１００”などのバイナリ多単位コードがそれぞれ対応するように定められ、
前記複数の表示対象要素にそれぞれ対応する前記複数のバイナリ多単位コードに従って、前記表示面上に表示された表示映像を点滅制御して得られるバイナリシリアル光出力信号を送出することを特徴とする表示映像の表示制御方法である。
【００２２】
ここで、複数のバイナリ多単位コードの１例は、アスキーコード（ＡＳＣＩＩ  ｃｏｄｅ）であるが、アスキーコードに限らず、イブスディック（ＥＢＣＤＩＣ：Ｅｘｔｅｎｄｅｄ  Ｂｉｎａｒｙ  Ｃｏｄｅｄ  Ｉｎｔｅｒｃｈａｎｇｅ  Ｃｏｄｅ），その他の５単位，６単位，８単位などのバイナリ多単位符号を適用対象に適合するように選択して使用することができる。
例えば、体温計などの測定器上の表示面に「３６．５」などの液晶表示があったときに、その表示要素「３」，「６」，「．」，「５」に対応するバイナリ多単位コードを、予め採用されているコード表の中から選択して、その選択されたバイナリ多単位コードの２値状態を表すように、表示面上の液晶表示を、順次点滅制御して得られるバイナリシリアル光出力信号を出力する。
液晶表示が点灯している時には、バイナリ信号のＨｉｇｈ、消灯している時には、Ｌｏｗとしてシリアル光出力を図４に示すように送出する。
【００２３】
点滅できる速さは、液晶表示板の各表示エレメントの応答速度によるので、説明のため、ここで液晶表示板の反応速度を２００ｍｓとする。
【００２４】
このように、点滅の間隔を変化させることにより、シリアルデータで伝送する。この例の場合、３６．５の数値データに相当するシリアル信号を図４のように、送信する。
このようにして、セグメント方式で表された液晶表示は、３６．５と人が読むことが出来る。且つ、この表示映像を表示面上で点滅させて送出されたバイナリシリアル光信号は、バーコードリーダの技術により検知可能となる。
【００２５】
図５に、本発明を人体医療データの収集に適用した場合の実施例であるバイナリシリアル光出力表示機能付き医療機器のブロック図を示す。
バイナリシリアル光出力表示機能付き医療機器３０１は、血糖値測定器，脈拍計，血圧計等の医療器にバーコード表示が出来るように構成されている。また、１０１は患者等の被測定対象、２０１は患者の状態を示す医療データを測定するセンサ、２０２は測定されたデータ値をアナログからディジタルに変換するアナログ・ディジタル変換器、２０３はＣＰＵ（中央処理装置  Ｃｅｎｔｒａｌ  Ｐｒｏｃｅｓｓｉｎｇ  Ｕｎｉｔ）、２０５は液晶表示を切替えるためのスイッチ、２０６は２０７の液晶パネルにデータを表示させるためのバライバ、２０７は液晶パネルである。
【００２６】
患者１０１の医療データは、センサ２０１でアナログ信号に変換され、そのデータはＡ／Ｄ変換器２０２によりディジタル信号に変換される。ＣＰＵ２０３は、液晶表示切替えスイッチ２０５の状態により、数値表示か、シリアル転送表示かを液晶ドライバ２０６へ指示する。ＣＰＵ２０３は、表示に必要なデータを液晶ドライバ２０６へ送り、その信号を受け液晶パネル２０７に表示する。この液晶パネルの表示は、図４を参照して説明したように、点滅制御され、バイナリシリアル光出力信号となる。
【００２７】
図５に示す構成により、液晶表示面上に表示される可能性がある文字，記号等の複数の表示対象要素に対して、予め定めた複数のビット数により各々が構成される複数のバイナリ多単位コードがそれぞれ対応するように定められ、
前記複数の表示対象要素にそれぞれ対応する前記複数のバイナリ多単位コードに従って、前記液晶表示面上に表示された液晶表示映像を所定の周期で点滅制御して得られるバイナリシリアル光出力信号（図４）を送出することができる。
【００２８】
図６は、本発明方法の動作を説明するためのフロー図である。以下、図１乃至図６及びその他の図７と図８を参照して、本発明方法の動作を説明する。
動作開始後に（Ｓ０）、レーザ光を液晶表示面上の表示映像に照射したとき（Ｓ１）、そのレーザ光の反射光を受光して（Ｓ２）得られるアナログ受光出力（図１（ｂ），図２（ｂ））から、そのアナログ受光出力のゼロクロスタイミングを２値状態の一方から他方への変化タイミングとする２値デジタル受光出力（図１（ｃ），図２（ｃ））に変換する（Ｓ３）。
このデジタル受光出力を例えば、２００ｍｓの周期でコード化する（Ｓ４）。
この場合のスキャン幅と液晶表示との関係は、図７（ａ）のようになっている。図７（ｂ）は、数値の「３６．５」と表示している時（点灯している時）に、バーコードリーダーで１回の走査をした時のディジタル波形を示す。
図７（ｃ）は、消えている時にバーコードリーダーで１回の走査をした時のディジタル波形を示す。
前記のように２００ｍｓの間液晶が点灯しているとき、スキャン時間が２０ｍｓのバーコードリーダーは、２００ｍｓ／２０ｍｓの１０回の走査をすることになる。図７（ｂ）の波形を１０回得ることになる。Ｌの信号を送る場合には、液晶を消灯させる。Ｈの時と同様に２００ｍｓの間液晶が消灯しているので、走査時間が２０ｍｓのバーコードリーダーは、２００ｍｓ／２０ｍｓの１０回スキャンすることになる。図７（ｃ）の波形を１０回得ることになる。
【００２９】
以上の動作により、図８（ａ）の波形を得ることができる。この信号のＬｏｗ信号が続くと「Ｌ」であり、そうでない場合には「Ｈ」であると判断し、図８（ｃ）の波形を作る。図８（ｂ）はバーコードの走査時間である。
このようにして得られたコード化出力を所定の多単位符号とみなして復号した復号出力を取り出す（Ｓ５）。
この復号出力は前記所定の多単位符号であるか否かをテストをし、該所定の多単位符号ではないとのテスト結果が得られたときには、前記のステップ（Ｓ１，Ｓ２，Ｓ３）に復帰する（Ｓ６）。
このステップ（Ｓ６）におけるテストがＹＥＳであったときには、その符号化出力が前記のステップ（Ｓ４）における前記コード化出力と同一であるかのテストをして、同一ではないとのテスト結果が得られたときには、前記のステップ（Ｓ１，Ｓ２，Ｓ３）に復帰する（Ｓ７）。
このステップ（Ｓ７）におけるテストにおいて同一であるとのテスト結果が得られたときには、前記のステップ（Ｓ６）における前記復号出力を前記所定の多単位符号とみなして読み取り（Ｓ８）、その所定の多単位符号に対応する表示要素のパターンを表示する（Ｓ９）。
【００３０】
液晶表示がバーコードで表示されていることが予め判明しているときには、Ｓ１〜Ｓ９の手順で行われるが、Ｓ７は省略することができる。
【００３１】
液晶表示がアスキーコードで表示されているときには、Ｓ１〜Ｓ５，Ｓ１０〜Ｓ１５の手順で動作させることができる。
【００３２】
図９は、図６のフロー図に示された本発明による表示映像からの光出力読み取り制御方法を実施するための、本発明による表示映像からの光出力読み取り制御装置の一実施例を示すブロック図である。
すなわち、表示面（４０１）上に表示される可能性がある文字，記号等の複数の表示対象要素にそれぞれ対応するように定められた複数のバイナリ多単位コードに従って、前記表示面上の表示映像（４０２）が点滅制御されて得られるバイナリシリアル光出力信号を受信するために、
光源からの出力光を前記表示面上の表示映像（４０２）に照射して走査する走査手段（５０１）と、
該出力光の反射光を受光してアナログ受光出力を取り出す受光手段（５０２）と、
該アナログ受光出力のゼロクロスタイミングを２値状態の一方から他方への変化タイミングとする２値デジタル受光出力に変換するＡ／Ｄ変換器（５０３）と、
予め定めた複数のビット数により各々が構成され、かつ、前記表示面上に表示される可能性がある文字，記号等の複数の表示対象要素にそれぞれ対応するように定められた複数のバイナリ多単位コードを保持するコードテーブル（５０４ａ）と、
前記２値デジタル受光出力を前記バイナリ多単位コードであるとみなしてコード化したコード化出力に変換するデータ変換器（５０４）と、
該記コード化出力を該コードテーブルを参照して復号した復号化出力を取り出す復号手段（５０５）と、
該復号手段からの復号出力を表示する表示器（５０７）と、
を備えている。
なお、復号出力を一時記憶するデータ蓄積部（５０６）と、復号手段（５０５）又はデータ蓄積部（５０６）の出力を外部機器（６００）に送出するデータ送信部（５０８）を備えることができる。
【００３３】
図１０は、本発明による表示映像からの光出力読み取り表示制御方法の他の実施例を説明するためのフロー図である。この読み取り表示制御方法は、次のように構成されている。
即ち、表示面上に表示される可能性がある文字，記号等の複数の表示対象要素にそれぞれ対応するように定められた複数のバイナリ多単位コードに従って、前記表示面上の表示映像が点滅制御されて得られるバイナリシリアル光出力信号を受信するために、
光源からの出力光を前記表示映像に照射したとき（Ｓ２１）の該出力光の反射光を受光して得られるアナログ受光出力から（Ｓ２２）、該アナログ受光出力のゼロクロスタイミングを２値状態の一方から他方への変化タイミングとする２値デジタル受光出力に変換する（Ｓ２３）。
該デジタル受光出力を所定の走査周期で走査読み取りしてコード化したコード化出力を取り出す（Ｓ２４）。この場合の動作は、図６のステップＳ４について、図８を参照して説明した動作と同様である。
前記コード化出力を所定の多単位符号とみなして復号したデコード化したデコード化出力を取り出す（Ｓ２５）。
該デコード化出力は前記所定の多単位符号であるか否かをテストをし（Ｓ２６）、該所定の多単位符号ではないとのテスト結果が得られたときには、（Ｓ２１）のステップに復帰する（Ｓ２６）。
該（Ｓ２６）のステップにおけるテストがＹＥＳであったときには、前記デコード化出力が前記（Ｓ２５）のステップにおける前記コード化出力と同一であるかのテストをして、同一ではないとのテスト結果が得られたときには、前記（Ｓ２１）のステップに復帰する（Ｓ２７）。
該（Ｓ２７）のステップにおけるテストにおいて同一であるとのテスト結果が得られたときには、前記（Ｓ２５）のステップにおける前記コード化出力に対応するバーコードをプリントアウトする（Ｓ３０）。
【００３４】
図１１は、図１０に示されている本発明による液晶表示映像の読み取り表示制御方法に対応する本発明による表示映像からの光出力読み取り表示制御装置の一実施例を示すブロック図である。この実施例は、光バイナリシリアルコードをバーコードに変換してプリントアウトする機能を有する。
すなわち、液晶表示面上（７０１）に表示される可能性がある文字，記号等の複数の表示対象要素にそれぞれ対応するように定められた複数のバイナリ多単位コードに従って、液晶表示面上の表示映像（７０２）が点滅制御されて得られるバイナリシリアル光出力信号を受信するために、
バーコード表示変換器８００は、
光源からの出力光を前記液晶表示面（７０１）上の表示映像（７０２）に照射して走査する走査手段（８０１）と、
該出力光の反射光を受光してアナログ受光出力を取り出す受光手段（８０２）と、
該アナログ受光出力のゼロクロスタイミングを２値状態の一方から他方への変化タイミングとする２値デジタル受光出力に変換するＡ／Ｄ変換器（８０３）と、
予め定めた複数のビット数により各々が構成され、かつ、前記液晶表示に表示される可能性がある文字，記号等の複数の表示対象要素にそれぞれ対応するように定められた複数のバイナリ多単位コードを保持するコードテーブル（８０４ａ）と、
前記２値デジタル受光出力を前記バイナリ多単位コードであるとみなしてコード化したコード化出力に変換するデータ変換器（８０４）と、
該記コード化出力を該コードテーブルを参照して復号した復号化出力を取り出す復号手段（８０５）と、
該復号手段（８０５）からの復号出力に対応するバーコードに変換するバーコード変換器（８０６）と、
該変換されたバーコードをプリントアウトする印刷手段（８０７）と、
を備えた構成を有している。このプリントアウトしたバーコードは従来のバーコードリーダ（９００）にて読み取り処理することができる。
【００３５】
図１２は、図１１に示されているバーコード表示変換器の構造例を示す斜視図である。
内蔵の光源（８０１）からの出力光は、体温計等の液晶表示面（７０１）上の「３６．５°」等の表示映像（７０２）を走査し、受光素子（８０２）で受光する。以下、図１１に示す内蔵のＡ／Ｏ変換器（８０３），データ変換器（８０４），復号手段（８０５），バーコード変換器（８０６）により処理され、印刷手段（８０７）により、バーコードがプリントアウトされる。
なお、図１２において、８１１はプリントアウト要求ボタン、８１２は読み取り開始ボタン、８１３はプリント用紙である。
【００３６】
以上の説明から理解されるように、請求項１に記載された本発明による表示映像の表示制御方法、又は請求項２に記載された本発明による表示映像の表示制御装置によれば、従来用いられているバーコードリーダによっては、正確に読み取ることが困難か又は不可能であった液晶表示のバーコード又は文字，記号を、通常のバーコードリーダにより、容易かつ確実に読み取ってデータの処理と記録することができるように、光信号出力として送出することができる。
また、請求項３に記載された本発明による表示映像からの光出力読み取り表示制御方法、又は、請求項４に記載された本発明による表示映像からの光出力読み取り制御装置によれば、本発明により得られたこの光信号出力を正確に読み取ってデータの収集と処理を行う手順と構成を提供することができる。
さらに、請求項５に記載された本発明による表示映像からの光出力読み取り表示制御方法、又は、請求項６に記載された本発明による表示映像からの光出力読み取り制御装置によれば、前記の光信号出力をバーコードに変換してプリントアウトして、従来のバーコードによりデータ収集と処理をする具体的手順と構成を提供することができる。
【００３７】
【発明の効果】
以上詳細に説明されたように、本発明によれば、液晶表示の内容を簡単な構成と操作により、バーコードリーダで正確にかつ確実に読み取ることができるようにバイナリシリアル光出力に変換することができ、かつ読み取り処理することが可能となる。
従って、本発明は、医療等のデータの収集，記録処理の分野において、極めて大きい効果を有するものである。
【図面の簡単な説明】
【図１】本発明に用いられるレーザ方式のバーコードリーダの構成（ａ）とそのアナログ波形（ｂ）及びディジタル波形（ｃ）を示す図である。
【図２】本発明に用いられるＣＣＤ定置型バーコードリーダの構成（ａ）とそのアナログ波形（ｂ）及びディジタル波形（ｃ）を示す図である。
【図３】本発明の対象となる液晶表示の例であるセグメント方式（ａ）、ドットマトリックス方式（文字表示）（ｂ）、及びドットマトリックス方式（グラフィック表示）（ｃ）を示す図である。
【図４】本発明により送出される出力信号例を示すタイムチャートである。
【図５】本発明による表示映像の表示制御装置の一実施例を示すブロック図である。
【図６】本発明による表示映像からの光出力読み取り表示制御方法の実施例を説明するためのフロー図である。
【図７】本発明に用いるスキャン幅と液晶表示との関係を示す図である。
【図８】本発明により送出される出力信号を処理する動作例を説明するためのタイムチャートである。
【図９】図６に示されている本発明による表示映像からの光出力読み取り表示制御方法に対応する本発明による表示映像からの光出力読み取り表示制御装置の一実施例を示すブロック図である。
【図１０】本発明による表示映像からの光出力読み取り表示制御方法の他の実施例を説明するためのフロー図である。
【図１１】図１０に示されている本発明による表示映像からの光出力読み取り表示制御方法に対応する本発明による表示映像からの光出力読み取り表示制御装置の一実施例を示すブロック図である。
【図１２】図１０に示されている本発明による表示映像からの光出力読み取り表示制御方法に対応する本発明による表示映像からの光出力読み取り表示制御装置の一実施例の構造を示す斜視図である。
【符号の説明】
１  レーザダイオード
２  ポリゴンミラーモータ
３  スキャン光
４  バーコード
５  受光素子
１１  光源用ＬＥＤ
１２  バーコード
１３  ＣＣＤイメージセンサ
１０１  被測定対象
２０１  センサ
２０２  アナログ・ディジタル変換器
２０３  ＣＰＵ
２０５  スイッチ
２０６  ドライバ
２０７  液晶パネル
３０１  医療機器
４０１，７０１  液晶表示面
４０２，７０２  バーコード又は光バイナリコード（表示映像）
５００  バーコードリーダ
５０１，８０１  レーダダイオード
５０２，８０２  受光素子
５０３，８０３  Ａ／Ｄ変換器
５０４，８０４  データ変換器
５０４ａ，８０４ａ  テーブル
５０５，８０５  光バイナリコードのデコーダ
５０６  データ蓄積器
５０７  データ表示器
５０８  データ送出器
６００  外部機器
８００  バーコード表示変換器
８０６  バーコード変換器
８０７  プリンタ
９００  バーコードリーダ
【図１】
2005018196.tif 000003
【図２】
2005018196.tif 000004
【図３】
2005018196.tif 000005
【図４】
2005018196.tif 000006
【図５】
2005018196.tif 000007
【図６】
2005018196.tif 000008
【図７】
2005018196.tif 000009
【図８】
2005018196.tif 000010
【図９】
2005018196.tif 000011
【図１０】
2005018196.tif 000012
【図１１】
2005018196.tif 000013
【図１２】
2005018196.tif 000014